(57)【特許請求の範囲】
【請求項１】
袋部Ｆがデンビ組織の経編地１・１にて製袋された袋体であって、袋口１１を引き絞るべき巾着緒１２・１２が当該袋口１１に沿って前後の経編地１と１に各々スライド可能に挿入されて成り、かつ、袋部Ｆの編地組織は両側辺の重合部位で前後経編地１と１の編成糸が絡み編みされて接結縁２・２を形成すると共に、袋部Ｆの編み目は底部では密に袋口１１側の上部では相対的に疎に形成されていて、袋部Ｆの底辺は繋ぎ耳組織３’により接結されて袋底３を形成していることを特徴とする巾着式経編濾し袋。
【請求項２】
袋部Ｆが経編組織で編目形成され、袋口１１の周縁に沿って挿入された巾着緒１２は引き絞り側へ浮き出して引緒部１２ａを構成している請求項１記載の、巾着式経編濾し袋。
【請求項３】
袋口１１の周縁が伸縮糸にて編成されて袋口１１が弾力的に拡縮自在である請求項１または２記載の、巾着式経編濾し袋。
【請求項４】
連続的な繋ぎ袋Ｊとしてデンビ組織に編成され、かつ、袋部Ｆの編み目は底部では密に袋口１１側の上部では相対的に疎に形成されたダブルラッシェル編成体であって、袋部Ｆ底辺は連続的な繋ぎ耳組織３’、袋部側辺は絡み編組織Ｅの接結縁２・２同士が一連に繋って接結部２・袋部Ｆ・接結部２・・・・袋部Ｆ・接結部２と連続する一方、各袋口１１の周縁に沿って前後の経編地１・１へ所要範域に亙りスライド可能に挿入された巾着緒１２は、各袋部Ｆの引き絞り側においては絡み編組織Ｅの仮想カッターラインＬ−Ｌまで浮き出してフロート部１２’を形成し、同仮想カッターラインＬ−Ｌを越えた部位において絡み組織Ｅ中に編み込まれて固定部Ｔを形成し、当該絡み編組織Ｅで連なる隣接する接結部２と２を仮想カッターラインＬ−Ｌに沿って各袋部Ｆ毎に切断して、前記フロート部１２’に浮き出した巾着緒１２が引緒部１２ａとして機能するように構成したことを特徴とする巾着式経編濾し袋。
【請求項５】
袋口１１側における前後の経編地１・１の編端に伸縮糸が編み込まれて各袋部Ｆの袋口１１が弾力的に拡縮自在である請求項４記載の、巾着式経編濾し袋。
【請求項６】
ダブルラッシェル機WRにて前後２枚の経編地１・１を編成するに際し、袋部Ｆを構成する２枚の経編地はデンビ組織に構成し、かつ、袋部Ｆの編み目は底部では密に袋口１１側の上部では相対的に疎に形成する一方、これら２枚の経編地１・１を一定のピッチ毎に絡み編みＥして横断方向の接結部２を形成すると共に、一方の編端は繋ぎ耳組織３’に編み綴ることによって接結部２・袋部Ｆ・接結部２・・・・袋部Ｆ・接結部２と連なる繋ぎ袋Ｊを形成し、かつ、編み出される繋ぎ袋Ｊの袋口１１側には当該前後経編地１と１との編端に沿って巾着緒１２をスライド可能なる如く所要の距離だけ挿入させつゝ前記接結部２に到達するやゝ前の位置において当該巾着緒１２・１２を絡み編組織Ｅ域の仮想カッターラインＬ−Ｌまで浮き出させることによって所要寸法のフロート部１２’を形成する一方、隣接する接結部２と２を形成する絡み編組織Ｅ域のカッターラインＬ−Ｌを越えた部位で巾着緒１２・１２を絡み編組織Ｅの接結部２ａ中に編み込んで固定部Ｔを形成することを特徴とした巾着式経編濾し袋の製造方法。
【請求項７】
ダブルラッシェルWRが編み出してくる前後各経編地１・１の袋口１１側編端に沿って耳糸を編み込むことによって袋口１１を耳組織に形成する請求項６記載の、巾着式経編濾し袋の製造方法。
【発明の詳細な説明】
【０００１】
【発明の属する技術分野】
本発明は、巾着式の経編袋およびその製造方法に関し、さらに詳しくは、袋口を引き絞るための巾着緒が挿入された形態に全体を経編組織に編成した巾着式経編袋、およびそのような経編袋を効率的に量産できる新方法に関するものである。そして、本発明の巾着式経編袋は、例えば流し台(kitchen sink)の排水口等の「濾し袋」として利用するのに好適であり、装着も簡単で、しかも濾し屑の廃棄も容易となる。
【０００２】
【従来の技術】
周知のとおり、食品の洗浄や調理あるいは食器類の洗浄を行う調理場・台所の流し台にあっては、その排水口に様々の洗い屑が頻繁に流れ込むために、通常、多数の細孔を明けたバスケット(drain basket)が付設してあって、洗い屑が其処から先の排水管路などへ流出し難くいようにしてある。
【０００３】
ところが、流し台に既設のバスケットの細孔は一般に目が荒く細かい洗い屑が排水管路に流出して排水が詰まらせる虞れがあるうえに、バスケットの中に洗い屑が溜まって細孔を塞ぐと排水が出来なくなり、シンクの中には汚水が滞留して不潔である。この場合、排水口からバスケットを取り外して洗い屑を取り除けばよいのであるが、これまたバスケットの洗い屑を取り除くのが相当に面倒な作業である。
【０００４】
そこで、このような不便に応ずるため、従来においてはバスケットや排水口に濾し袋を装着して、排水が滞ったときに濾し袋を洗い屑と一緒に廃棄するという対応策が採られるようになってきた。
【０００５】
ところで、従来この種の濾し袋は、紙・布地あるいは編地を単純な袋形態に製袋しただけのものであったために、洗い屑が溜まったときにバスケットや排水口からの取り外して廃棄するときに、袋口を紐やゴムでシッカリと結束しなければならず、不潔で嫌な作業に相当の時間と手間を要するところから、主婦や調理者には苦痛と不評であった。
【０００６】
【発明が解決しようとする課題】
本発明が解決しようとする第一の技術的課題は、流し台の排水バスケットあるいは排水口などの排水・廃液部位に簡単に装着することができて、屑が溜まったときには取り外して巾着緒を引き絞るだけの簡単な作業で確実に袋口を封止して廃棄処分に付することができる巾着式経編濾し袋と、そのような経編濾し袋を効率的に量産することができる画期的方法を提供するにある。
【０００７】
また、本発明の他の技術的課題は、一連の連続した繋ぎ袋の製品形態にて販売することができ、所定位置で切り離すだけの操作で、巾着緒を有するドレン用の濾し袋や液屑分離袋として使用することができる巾着式経編濾し袋、ならびにその製造方法を提供するにある。
【０００８】
さらに、本発明の他の技術的課題は、ダブルラッシェル機などの経編機により高能率に安価に大量生産することができる巾着式経編袋を提供するにある。
【０００９  】
【課題を解決するために採用した手段】
本発明者が上記技術的課題を解決するために採用した手段を、添附図面を参照して説明すれば、次のとおりである。
【００１０】
即ち、本発明が提供する巾着式経編濾し袋は、袋部Ｆが経編地１・１にて製袋された袋体であって、袋口１１を引き絞るべき巾着緒１２・１２が当該袋口１１に沿って前後の経編地１と１に各々スライド可能に挿入されて成り、かつ、袋部Ｆの編地組織は両側辺の重合部位で前後経編地１と１の編成糸が絡み編みされて接結縁２・２を形成すると共に、袋部Ｆの底辺は繋ぎ耳組織３’により接結されて袋底３を形成したという経編組織手段を採用した点に特徴がある。かゝる構成の巾着式経編濾し袋は、流し台の排水バケットあるいは排水口に簡単に装着でき、しかも洗い屑が溜まったときには取り外して巾着緒を引き絞るだけの簡単な作業で確実に袋口を封止して速やかに廃棄することができる。
【００１１】
また、本発明の巾着式経編濾し袋は、連続的な繋ぎ袋Ｊとして編成されたダブルラッシェル編成体であって、袋部Ｆ底辺は連続的な繋ぎ耳組織３’、袋部側辺は絡み編組織Ｅの接結縁２・２同士が一連に繋って接結部２・袋部Ｆ・接結部２・・・・袋部Ｆ・接結部２と連続する一方、各袋口１１の周縁に沿って前後の経編地１・１へ所要範域に亙りスライド可能に挿入された巾着緒１２・１２は、各袋部Ｆの引き絞り側においては絡み編組織Ｅの仮想カッターラインＬ−Ｌまで浮き出してフロート部１２’を形成し、同仮想カッターラインＦ−Ｆを越えた部位において絡み組織Ｅ中に編み込まれて固定部Ｔを形成し、当該絡み編組織Ｅで連なる隣接する接結部２と２を仮想カッターラインＬ−Ｌに沿って各袋部Ｆ毎に切断して、前記フロート部１２’に浮き出した巾着緒１２が引緒部１２ａとして機能するように構成した点に特徴がある。かゝる構成の経編濾し袋は、そのまゝの繋ぎ袋の製品形態で販売することができ、使用に際しては所定位置で切り離すだけの操作で、巾着緒を有するドレン用の濾し袋としての機能を発揮する。
【００１２】
さらに、本発明の巾着式経編濾し袋の製造方法は、ダブルラッシェル機WRにて前後２枚の経編地１・１を編成するに際し、これら２枚の経編地１・１を一定のピッチ毎に絡み編みＥして横断方向の接結部２を形成すると共に、一方の編端は繋ぎ耳組織３’に編み綴ることによって接結部２・袋部Ｆ・接結部２・・・・袋部Ｆ・接結部２と連なる繋ぎ袋Ｊを形成し、かつ、編み出される繋ぎ袋Ｊの袋口１１側には当該前後経編地１と１との編端に沿って巾着緒１２・１２をスライド可能なる如く所要の距離だけ挿入させつゝ前記接結部２に到達するやゝ前の位置において当該巾着緒１２・１２を絡み編組織Ｅ域の仮想カッターラインＬ−Ｌまで浮き出させることによって所要寸法のフロート部１２’を形成する一方、隣接する接結部２と２を形成する絡み編組織Ｅ域のカッターラインＬ−Ｌを越えた部位で巾着緒１２・１２を絡み編組織Ｅの接結部２ａ中に編み込んで固定部Ｔを形成するという編成手段を採用した点に特徴がある。そして、かゝる編成手段を採用したことによって、袋口側における前後経編地の周縁に沿って巾着緒を有する経編濾し袋の効率的な製造が可能になったのである。
【００１３】
ちなみに、本発明において用いる糸について補足説明をしておくと、巾着緒12としては非伸縮性の糸が適しているが、それ以外の部分については伸縮性の糸でも非伸縮性の糸でも採択可能である。たゞ、袋口11側の前後の編地の口縁部分に伸縮性の糸を用いておくと、袋口11を弾力的に拡縮できるので排水バスケットの口部に当該経編袋を装着する際に便利である。
【００１４】
巾着緒12を形成する糸としては、合成繊維のモノフィラメントヤーンでもマルチフィラメントヤーンでもよく、また木綿や麻などの天然繊維を用いてもよい。また、袋部を編成する糸としては、ウーリー加工糸や、ゴム糸もしくはポリウレタン弾性糸を芯糸としたカバーリングヤーンを使用すると微細な洗い屑の流出を少なくすることができるが、コスト的には、通常の汎用の合成繊維糸や天然繊維糸を用いるのが有利である。
【００１５】
また、袋口の口縁部分に伸縮性の糸を使用して袋口に弾力的な拡縮機能を付与する場合には、伸縮性に富んだポリウレタン弾性糸や合繊ウーリー加工糸などを用いるのがよい。
【００１６】
【発明の実施の形態】
以下、本発明に係る巾着式経編袋、およびその製造方法を添附図面に示す実施形態に基いて、更に詳しく説明する。
【００１７  】
【発明の実施の形態】
〔第１の実施形態〕
本発明の第１実施形態は図１と図２に示され、第１実施形態の巾着式経編袋はドレン用の濾し袋（以下、「第１実施形態品」と称す）として具体化されている。この第１実施形態品においては、編成糸としては基本的にナイロンのマルチフィラメント糸（12デニール）を採用し、袋口部分の耳糸としてポリウレタン弾性糸(20 デニール)、さらに袋口を引き絞るための巾着緒として３mm幅のポリエチレンテープを採用した。
【００１８】
この第１実施形態品における袋部Ｆは、デンビ組織によって一様な編み目に編成された前後２枚の経編地１・１にて構成されている。即ち、この袋部Ｆを構成する経編地１・１を組織する前後の編成糸は、一定の間隔毎に前後に交差し掛け絡むことによって、袋部Ｅの両側辺に一体の絡み組織を形成して接結縁２・２を形成していると共に、袋口11とは反対側の底辺では繋ぎ耳組織により接結されて袋底３を形成している。
【００１９  】
第１実施形態品における巾着緒12は、袋口11に沿って前後の編地１・１に各々スライド可能に挿入されて一方の接結縁２（図１における左側接結縁）に編み込まれて固定部Ｔを形成し、もう一方の接結縁２（図１における右側接結縁）側へは浮き出して引緒部12ａを構成している。
【００２０】
このような経編組織に構成された第１実施例品は、引緒部12ａを持って袋口11を引き絞ると、前後の編地１・１は固定部Ｔ側へ寄り窄まり、ついで引き出された巾着緒12・12を結び合せれば袋口11を緊縮状態に封止できる（図２参照）。
【００２１】
〔第２の実施形態〕
本発明の第２実施形態は図３に示される。この第２実施形態の巾着式経編袋は多数の袋体が一定ピッチに形成された絡み編み組織によって連続的に連ねられた繋ぎ袋（以下、「第２実施形態品」と称す）形態に具体化されている。しかして、この第２実施形態品において、編成糸・袋口の耳糸・巾着緒の素材として採用している糸は第１実施形態品と同じである。
【００２２】
この第２実施形態品における繋ぎ袋Ｊは、ダブルラッシェル機によって編成されたものである。この繋ぎ袋Ｊにおける袋部Ｆ・Ｆ・・・・は、その各底辺に連なる繋ぎ耳組織３′、および各袋部Ｆの側辺には隣りの接結縁２・２同士が絡み編組織Ｅで一連に繋った接結部２ａを具備し、全体として一定ピッチで接結部２ａ・袋部Ｆ・接結部２ａ・・・・袋部Ｆ・接結部２ａと連続している。そして、これら各袋口11の周縁には、袋部Ｆを構成する前後の各編地１の編端に沿って巾着緒12・12が滑り動かせるようにスライド自在に挿入編みされている。この巾着緒12・12は、繋ぎ袋Ｊとしては各々全体が一連に連続し、各袋部Ｆの左側では仮想カッターラインＬ−Ｌの左領域絡み編組織Ｅに編み込まれて左側接結縁２ａの中に固定部Ｔを形成し、当該巾着緒は、各袋部Ｆの右側では右側接結縁２ａの若干前で編地１の表面に浮き出してフロート部12′を形成し、仮想カッターラインＬ−Ｌを越えた部分で絡み編組織Ｅに編み込まれる構成が連続しているのである。
【００２３】
第２実施形態品は、上記のように構成したので、絡み編組織Ｅの接結部２ａを仮想カッターラインＬ−Ｌに沿って各袋部Ｆ毎に切り離すことにより、前記フロート部12′に浮き出している巾着緒12が引緒部12ａとして機能することになるのである。
【００２４】
〔第３の実施形態〕
次に、本発明の編成方法的手段を適用して巾着式経編袋を製造する方法を図４に示し、これを第３実施形態として説明する。なお、この第３実施形態で編成糸・袋口の耳糸・巾着緒の素材として採用する糸も第１実施形態品と同じである。
【００２５】
図４において、符号WRで指示するものはダブルラッシェル機の編成機構部分であり、図示する如くフロント針列FNとバック針列BNとの２列の針床を具備して、前記フロント針列FNとバック針列BNとを交互に作動させることにより同時に２枚の編地を編成することが可能であり、また、こうして編成される編地２枚の両端を耳組織で繋ぐことにより筒状の編地を編成でき、更にまた、編成糸をフロント針列FNとバック針列BNとの双方に絡めて編成させれば前記２枚の編地は互いに接結されて合体し、１枚の編地として編成することも可能である。
【００２６】
以下、図４を参照しつゝ、ダブルラッシェル機WRにより前述の第２実施形態品を製造するプロセスを説明してゆきたい。第３実施形態においては、７枚のオサＲ1〜Ｒ7 を用いることを基本とする。即ち、オサＲ1 は前側の編地に巾着緒12を挿入編みする機能、オサＲ2 は前側編地の袋口側に耳糸（ポリウレタン弾性糸）により耳組織を形成する機能、オサＲ3 は袋部前側の編地を編成する機能、オサＲ4 は袋底となる編端に繋ぎ耳組織（図３中の符号３′）の形成する機能，および前後の編地を一体に接結する（接結部の形成）機能、オサＲ5 は袋部後側の編地を編成する機能、オサＲ6 は後側編地の袋口側に耳糸により耳組織を形成する機能、オサＲ7 は後側の編地に巾着緒12を挿入編する機能を分担している。
【００２７】
しかして、第３実施形態の製造方法にあっては、オサＲ3 ・ Ｒ5 が所定のスイングモーション、ラッピングモーションをして給糸してくる編成糸をフロント針列FNとバック針列BNとが所定の編成動作を行って前後２枚のデンビ組織の編地１・１を編み出してくる。こうして編み出される前後２枚の編地１・１は袋底となるべき編端がオサＲ4 からの給糸によって繋ぎ耳組織３′に編成される一方、袋口11を形成する部分には耳糸を縁部に編み込んで耳組織を形成する。
【００２８】
また、上記のようにデンビ組織に編み出される前後２枚の編地１・１は、一定の間隔毎に前記オサＲ3 ・ Ｒ5 からの給糸を編成糸としてフロント針列FNおよびバック針列BNとに絡めて一体の絡み編組織の接結縁２ａに編成する。
【００２９】
他方、オサＲ1 ・ Ｒ2 を通して給糸される巾着緒12・12は、袋口11の内側寄りに挿し編みしてゆくのであるが、接結部２ａに抜けないように編み込み掛止する固定部Ｔと、袋口11を引き絞って閉塞する際に編地１・１内部をスライド可能にする挿し編部と、引緒部12ａとなるべきフロート部12′といった具合に部分的に編成状態を変化させなければならない。即ち、接結部２の少し手前で編地１・１から浮き出させた巾着緒12・12は、フロート部12′を形成して接結部２の仮想カッターラインＬ−Ｌを越えた位置で接結部２ａの絡み編組織Ｅ中に編み込ませるのである。換言すると、巾着緒12・12は、袋部での挿入編み→フロート部形成→仮想カッターラインＬ−Ｌを越えてから編み込み固定部形成を、１リピートとして同一間隔で繰り返すことになるのである。
【００３０】
以上、第３実施形態を要約的に説明すれば、繋ぎ袋形態の第２実施形態品は、ダブルラッシェル機により前後２枚の編地１・１を編成するに際し、これら２枚の編地１・１を一定ピッチ毎に絡み編みさせて横断方向の接結部２ａを形成すると共に、一方の編端は繋ぎ耳組織３′に編み綴ることにより接結部２ａ・袋部Ｆ・接結部２ａ・・・・袋部Ｆ・接結部２ａと連なる繋ぎ袋Ｊを形成し、かつ、編み出される繋ぎ袋Ｊの袋口11側には前後両編端に沿って巾着緒12・12を当該前後の各編地１・１へ所要範域に亙りスライド可能に挿入させつゝ接結部２ａに到達する前の一定位置から当該巾着緒12・12を絡み編組織Ｅの仮想カッターラインＬ−Ｌまで浮き出させることによって所要寸法のフロート部12′を形成する一方、当該接結部２ａの仮想カッターラインＬ−Ｌを越えた部位においては巾着緒12・12を絡み編組織Ｅ中に編み込んで固定部Ｔを形成することによって製造することができるのである。
【００３１】
本明細書に具体的に例示する本発明の実施形態は概ね上記のとおりであるが、本発明は前述の実施形態に限定されるものでは決してなく、「特許請求の範囲」の記載内において用に臨み適宜変更が可能であって、例えば前後の編地を編成するときに、各々２枚のオサを用いて厚みや編目の密度を上げることも可能である。この場合、ダブルラッシェル機WRに既設のオサＲ1〜Ｒ7 の左右両側に付加オサＲ1aおよびＲ7aを付設すればよく（図４)、編組織としてはデンビ（２−４／２−０）やコード（４−６／２−０）を採用することができる。
【００３２】
また、前述の実施形態にあっては袋部Ｆの編み目は全体をほゞ一様に形成する例を挙げて説明したが、袋部Ｆの底部では相対的に密に袋部Ｆの上部では相対的に疎に形成して屑取り作用と透水作用とを共に向上させるといった編成も可能であり、このような設計変更も本発明の技術的範囲に属することは明らかである。
【００３３】
かつまた、前述の第１〜第３実施形態にあっては絡み編組織Ｅに巾着緒12・12を編み込ませて固定部Ｔを形成する場合だけについて説明したけれども、袋口の両側で巾着緒12・12を引き絞れるように引緒部12ａ・12ａを出しておくことも可能であって、かゝる変更実施も本発明の技術的範囲に属する。
【００３４】
更に、本発明によって得られる巾着式経編袋は、上記第１〜第３の実施形態においては何れもドレン用の濾し袋として使用することを前提にしていたが、その用途は必ずしもドレン用に限られるものではなく、液中から屑や滓を取り除くための液屑分離袋として使用することも勿論可能であり、かゝる用途変更も本発明の技術的範囲に属する。
【００３５】
【発明の効果】
以上、実施形態例を挙げて具体説明をしたとおり、本発明を適用して得られる巾着式経編濾し袋は、全体が同時編成の経編組織にて袋口には巾着緒が一体に形成されており、しかも、袋部には編み目があるので、流し台の排水バスケットあるいは排水口などに簡単に装着でき、しかも編み目から支障ある屑の抜け出しを適確に防止でき、さらに袋内に屑が溜まったときにも取り外して巾着緒を引き絞るだけの簡単な作業で確実に袋口を封止して速やかに廃棄することができる等、従来この種の製品には期待することのできない効用が得られる。
【００３６】
また、本発明の巾着式経編濾し袋を連続的な繋ぎ袋として提供する場合には、必要なとき、鋏などのカッター手段により所定の位置で切り離すことにより、巾着緒付のドレン用の濾し袋、液屑分離袋等として使用することができ、非常に御徳用であり、また紛失防止にも役立つ。
【００３７】
さらに、本発明の巾着式経編濾し袋の製造方法は、従来周知のダブルラッシェル機によって連続的に大量生産可能であるので、生産性が向上し、かつ、安価に製品を提供することが可能となる。
【００３８】
このように本発明によれば、従来この種の製品に比較し格段に使い勝手の良い巾着式経編濾し袋の提供が可能になるうえに、従来周知のダブルラッシェル機を用いて実施化できる等、その産業上の利用価値は頗る大である。
【図面の簡単な説明】
【図１】図１は、本発明の第１実施形態品を示す斜視説明図である。
【図２】図２は、第１実施形態品の袋内に屑が溜まったときに巾着緒引き絞って袋口を緊縮して結束した状態を表わす斜視図である。
【図３】図３は、本発明の第２実施形態品を表わす側面図である。
【図４】図４は、本発明の第３実施形態を示すもので、ダブルラッシェル機により第２実施形態品を製造している状態を表わした説明図である。
【符号の説明】
１            編地
２            結節縁
３            袋底
３′          繋ぎ耳組織
11            袋口
12            巾着緒
12ａ          引緒部
12′          フロート部
Ｅ            絡み編組織
Ｆ            袋部
Ｌ−Ｌ        仮想カッターライン
Ｔ            固定部
WR            ダブルラッシェル機
FN            フロント針列
BN            バック針列
Ｒ1〜Ｒ7      オサ
Ｒ1a・Ｒ7a    付加オサ
【図１】
0004130013.tif 000002
【図２】
0004130013.tif 000003
【図３】
0004130013.tif 000004
【図４】
0004130013.tif 000005